(57)【要約】【課題】蓋体を誤飲した場合の窒息に至る危険性が回避され且つ蓋体が装着された状態において替芯が替芯ケース内から飛び出ることが防止されていると共に、替芯を指で摘み易い使い勝手のよい替芯ケースを提供する。【解決手段】一端に開口部が形成された替芯を収容する収容部２０ｃを有するケース本体２０と、ケース本体２０の開口部近傍の側壁２１ｂに着脱自在に装着される蓋体２０とを備える替芯ケース１において、蓋体３０は、少なくとも、天壁３０ａと、側壁３０ｃと、ケース本体２０の開口部近傍の側壁が挿入される開口部とを備えている。また、天壁３０ａには、天壁３０ａを貫通するスリット（通気孔）３０ｅが形成されていると共に、開口部３０ｄとスリット３０ｅとの間に配置された遮蔽壁３０ｆが形成されている。【選択図】図２
2010173247.tif 000002
【特許請求の範囲】
【請求項１】
一端に開口部が形成された替芯を収容する収容部を有するケース本体と、該ケース本体の開口部近傍の側壁に着脱自在に装着される蓋体とを備える替芯ケースにおいて、
前記蓋体は、少なくとも、天壁と、側壁と、前記ケース本体の開口部近傍の側壁が挿入される蓋体開口部とを備え、
前記天壁には、該天壁を貫通する通気孔が形成されていると共に、前記蓋体開口部と該通気孔との間に配置された遮蔽壁が形成されていることを特徴とする替芯ケース。
【請求項２】
前記遮蔽壁は、前記天壁に形成された通気孔の開口縁近傍に形成され、前記天壁の内側において、前記蓋体開口部と該通気孔とを結ぶ空気通路を部分的に遮蔽していることを特徴とする請求項１に記載の替芯ケース。
【請求項３】
前記ケース本体は、前記開口部の端部が斜面状に形成されていると共に、前記収容部に替芯が収容された場合に、該替芯の上端が前記斜面状の端部より上側に配置されるようになされていることを特徴とする請求項１又は請求項２に記載の替芯ケース。
【請求項４】
前記ケース本体は、前記開口部の面積が、前記収容部の底部の面積より大きくなされていることを特徴とする請求項１〜請求項３のうちのいずれか一項に記載の替芯ケース。
【請求項５】
前記天壁の通気孔は、前記蓋体をケース本体に装着した場合に、前記天壁において、前記ケース本体の開口部近傍の側壁内面に対応する位置から、前記蓋体の側壁に至る間に、前記替芯の直径以上の長さ寸法で形成され、
前記遮蔽壁は、前記天壁の内面側において、前記ケース本体の開口部近傍の側壁内面に対応する位置から前記蓋体の側壁に向けて延設され、前記蓋体の内側から通気孔に通じる空気通路を部分的に塞ぐことを特徴とする請求項１〜請求項４のいずれか一項に記載の替芯ケース。
【発明の詳細な説明】
【技術分野】
【０００１】
本発明は、シャープペンシルの替芯を収容する替芯ケースに関する。
【背景技術】
【０００２】
筆記用具等は家庭内の随所に不用意に置かれる傾向があり、幼児等の好適な遊び道具となる場合がある。この場合、幼児等がこれを口にして誤って飲み込む等の事故が発生し、最悪の場合には窒息するなどの危険があった。
そのため、例えば、特許文献１では、ケース本体と、当該ケース本体に着脱自在な蓋体とを備える替芯ケースにおいて、誤飲による窒息防止対策として、蓋体に空気通路となる通気孔を設けることが提案されている。
【０００３】
ここで、図２３を参照しながら、特許文献１の替芯ケースについて説明する。
図２３に示すように、替芯ケース１００は、替芯Ｌを収容するケース本体１０２と、このケース本体１０２の開口部１０２ａ近傍の側壁１０２ｂに着脱自在に取り付けられる蓋体１０３とを備えている。
また、蓋体１０３は、天壁１０３ｂと、側壁１０３ｃと、ケース本体１０２の開口部１０２ａの近傍側壁１０２ｂが挿入される開口部とを備えている。
また、図２３（ｂ）に示すように、天壁１０３ｂには、蓋体１０３をケース本体１０２に装着した状態において、ケース本体１０２の開口部１０２ａ近傍の側壁１０２ｂ内面に対応する位置の、替芯Ｌの直径Ｄ以下の内側の位置から、蓋体１０３の側壁１０３ｃに至る間に、替芯の直径以上（ｈ≧Ｄ）の通気孔１０３ｅが形成されている。
【０００４】
上記のように、蓋体１０３に替芯の直径以上の通気孔１０３ｅが形成されているため、幼児等が誤って蓋体１０３を誤飲する事態が発生しても窒息に至る危険性を回避することができる。
また、上述した位置に通気孔１０３ｅを設けたことにより、例えば、替芯ケース１００を傾けても、その内部に収容した替芯Ｌは、蓋体１０３の天壁１０３ｂに当たるため、外部に飛び出すことはない。
【先行技術文献】
【特許文献】
【０００５】
【特許文献１】特開平１１−２０８１７９号公報
【発明の概要】
【発明が解決しようとする課題】
【０００６】
ところで、図２４に示すように、ケース本体２１０と、蓋体２２０とを備える替芯ケース２００において、ユーザが指で替芯Ｌを容易に摘まむことができるようにするために、ケース本体２１０の開口部２１１の上端縁２１２の形状を斜めに形成するものが提案されている。
このように、開口部２１１の上端縁２１２を斜めに形成することにより、替芯Ｌの上端側をケース本体２１０から露出させることができるため、ユーザが指で替芯Ｌを容易に摘まむことができる使い勝手が良い替芯ケースが実現される。
【０００７】
しかしながら、ケース本体２１０の開口部２１１の上端縁２１２を斜めになされた替芯ケース２００は、上述したように、蓋体に窒息防止対策の通気孔を設けた場合に、その通気孔から替芯が飛び出る虞があるという技術的課題を有している。
具体的には、開口部の上端縁を斜めになされた替芯ケースの形状では、替芯ケースを傾けると、蓋体を閉めていても、ケース本体の内部で替芯が斜めに傾くため、図２３の従来技術のように、蓋体の通気孔の配置を考慮しても、替芯が蓋体の通気孔を通って替芯ケース内から飛び出ることがあった。
すなわち、ユーザが指で替芯を容易に摘まむことができる使い勝手の良い形状の替芯ケースでは、蓋体に窒息防止対策の通気孔を設けた場合に、その通気孔から替芯が飛び出る虞があった。
【０００８】
本発明は、上記技術的課題を解決するためになされたものであり、本発明の目的は、蓋体を誤飲した場合の窒息に至る危険性が回避され且つ蓋体が装着された状態において替芯が替芯ケース内から飛び出ることが防止されると共に、替芯を指で摘み易い使い勝手のよい替芯ケースを提供することにある。
【課題を解決するための手段】
【０００９】
上記課題を解決するためになされた本発明は、一端に開口部が形成された替芯を収容する収容部を有するケース本体と、該ケース本体の開口部近傍の側壁に着脱自在に装着される蓋体とを備える替芯ケースにおいて、前記蓋体は、少なくとも、天壁と、側壁と、前記ケース本体の開口部近傍の側壁が挿入される蓋体開口部とを備え、前記天壁には、該天壁を貫通する通気孔が形成されていると共に、前記蓋体開口部と該通気孔との間に配置された遮蔽壁が形成されていることを特徴としている。
また、前記遮蔽壁は、前記天壁に形成された通気孔の開口縁近傍に形成され、前記天壁の内側において、前記蓋体開口部と該通気孔とを結ぶ空気通路を部分的に遮蔽していることが望ましい。
【００１０】
このように、本発明の替芯ケースは、蓋体の天壁に形成された通気孔により蓋体の内側から外側を連通する空気通路が形成されるため、蓋体を誤飲した場合の窒息に至る危険性を回避することができる。
また、蓋体の天壁には、蓋体開口部と通気孔との間に配置された遮蔽壁が形成されているため、この遮蔽壁により、ケ−ス本体の収容部に収容された替芯が、通気孔に入ることが防止される。そのため、本発明によれば、ケ−ス本体の収容部に収容した替芯が通気孔を通って替芯ケースの外側に飛び出ることが防止される。
なお、上記の遮蔽壁を設けるようにすれば、例えば、ケース本体の開口部が斜面状に形成されていたとしても、この遮蔽壁により、収容部に収容された替芯が通気孔に入ることが防止される。
そのため、本発明によれば、ケース本体の開口部が斜面状に形成されているタイプ（替芯を指で摘み易い使い勝手のよい）替芯ケースにおいても、蓋体を誤飲した場合の窒息に至る危険性が回避され、且つ蓋体が装着された状態において替芯が替芯ケース内から飛び出てしまうことが防止される。
【００１１】
また、前記ケース本体は、前記開口部の端部が斜面状に形成されていると共に、前記収容部に替芯が収容された場合に、該替芯の上端が前記斜面状の端部より上側に配置されるようになされていることが望ましい。
このように構成することにより、ユーザが替芯を指で摘むことができるため、使い勝手のよい替芯ケースを実現することができる。
【００１２】
また、前記ケース本体は、前記開口部の面積が、前記収容部の底部の面積より大きくなされていることが望ましい。
このように構成することにより、収容部は、開口部から底部に向かうにつれて（奥に進むにつれて）、縮径するようになされるため、替芯ケース内において替芯が傾くことが抑制される。
その結果、蓋体が装着された状態において、替芯が蓋体の通気孔に入ることが抑制され、蓋体が装着された状態において替芯が替芯ケース内から飛び出ることが防止される。
【００１３】
また、前記天壁の通気孔は、前記蓋体をケース本体に装着した場合に、前記天壁において、前記ケース本体の開口部近傍の側壁内面に対応する位置から、前記蓋体の側壁に至る間に、前記替芯の直径以上の長さ寸法で形成され、前記遮蔽壁は、前記天壁の内面側において、前記ケース本体の開口部近傍の側壁内面に対応する位置から前記蓋体の側壁に向けて延設され、前記蓋体の内側から前記通気孔に通じる空気通路を部分的に塞ぐことが望ましい。
【００１４】
このように、本発明では、替芯の直径以上の長さを有する通気孔が形成されているため、幼児等が誤飲した場合にも十分な通気を確保することができる。
また、蓋体に替芯の直径以上の長さを有する通気孔が形成されていても、上記の遮蔽壁により替芯が蓋体の通気孔に入ることが抑制される。
【発明の効果】
【００１５】
本発明によれば、蓋体を誤飲した場合の窒息に至る危険性が回避され且つ蓋体が装着された状態において替芯が替芯ケース内から飛び出ることが防止されると共に、替芯を指で摘み易い使い勝手のよい替芯ケースを提供することができる。
【図面の簡単な説明】
【００１６】
【図１】本発明の実施形態の替芯ケースの正面図である。
【図２】本発明の実施形態の替芯ケースの断面を示した模式図である。
【図３】本発明の実施形態の替芯ケースを構成するケース本体の模式図である。
【図４】本発明の実施形態のケース本体の側面図である。
【図５】本発明の実施形態のケース本体の正面図である。
【図６】本発明の実施形態のケース本体の底面図である。
【図７】図３に示すケース本体のＡ-Ａ断面図である。
【図８】本発明の実施形態の替芯ケースを構成する蓋体の斜視図である。
【図９】本発明の実施形態の蓋体の正面図である。
【図１０】本発明の実施形態の蓋体の側面図である。
【図１１】本発明の実施形態の蓋体の上面図である。
【図１２】図８に示す蓋体のＢ−Ｂ断面図である。
【図１３】図８に示す蓋体のＣ−Ｃ断面図である。
【図１４】本実施形態の蓋体に形成されているスリットの位置を説明するための模式図である。
【図１５】本発明の実施形態の第１変形例の蓋体の斜視図である。
【図１６】本発明の実施形態の第１変形例の蓋体の上面図である。
【図１７】図１５に示した蓋体のＤ−Ｄ断面図である。
【図１８】図１５に示した蓋体のＥ―Ｅ断面図である。
【図１９】本発明の実施形態の第２変形例の蓋体の斜視図である。
【図２０】本発明の実施形態の第２変形例の蓋体の上面図である。
【図２１】図１９に示した蓋体のＦ−Ｆ断面図である。
【図２２】図１９に示した蓋体のＧ―Ｇ断面図である。
【図２３】従来技術の替芯ケースの断面図である。
【図２４】従来技術の替芯ケースの模式図である。
【発明を実施するための形態】
【００１７】
以下、本発明の実施形態のシャープペンシルの替芯ケースについて説明する。
先ず、本発明の実施形態の替芯ケースの概略について図１〜図２を用いて説明する。
図１は、本発明の実施形態の替芯ケースの正面図であり、図１（ａ）は、本実施形態のケース本体に蓋体が装着された状態を示し、図１（ｂ）は、ケース本体から蓋体が外された状態を示している。
また、図２は、本発明の実施形態の替芯ケースの断面を示した模式図であり、図２（ａ）に替芯ケースの内部に替芯が収容されていない状態を示し、図２（ｂ）に替芯ケースの内部に替芯Ｌが収容されている状態を示している。
【００１８】
図１および図２に示すように、本実施形態の替芯ケース１は、替芯を収容するケース本体２０と、このケース本体２０に着脱自在に取り付けられる蓋体３０とを備えている。
具体的には、ケース本体２０は、内部に替芯を収容する収容部２０ｃ（図２参照）を有する箱体であり、この箱体の長手方向の端部（上端部）には替芯を出し入れするための開口部２１ａ（図１（ｂ）参照）が形成されている。
また、この開口部２１ａの近傍の側壁２１ｂの外面には、前記蓋体３０を着脱自在に取付けるための凸部からなる係合部２１ｃ（図１（ｂ）参照）が形成されている。この係合部２１ｃは、蓋体３０の側壁３０ｃの内面に形成された凸部３０ｇ（後述する図１２参照）と係合するように構成されている。
【００１９】
また、蓋体３０は、天壁３０ａと、正面壁３０ｂ１および背面壁３０ｂ２（図１０参照）と、左右の側壁３０ｃとを有するキャップ状に形成され、その一端部には、ケース本体２０の開口部２１ａの近傍の側壁２１ｂが挿入される開口部３０ｄが形成されている。
また、蓋体３０の天壁３０ａには、天壁３０ａを貫通するスリット（通気孔）３０ｅ（図２参照）が形成されている。
このように天壁３０ａにスリット３０ｅを形成することにより、蓋体３０の内側から外側に空気を通す空気通路が形成されるため、蓋体３０を誤飲した場合の窒息に至る危険性が回避される。
【００２０】
また、図２に示すように、天壁３０ａの内側面には、スリット３０ｅの開口縁に、Ｌ字状になされ遮蔽壁３０ｆが形成され、蓋体３０の内側からスリット３０ｅを通る空気通路を部分的に遮っている。
このように、天壁３０ａの内側面に、前記空気通路を部分的に遮る遮蔽壁３０ｆを設けることにより、ケ−ス本体２０に収容した替芯がスリット３０ｅを通って替芯ケース１の外側に飛び出ることを防止している。
【００２１】
また、本実施形態において、替芯ケース１は、どのような材料により形成されていてもよいが、例えば、ケース本体２０は、ポリカーボネイト（Polycarbonate）により形成される。また、蓋体３０、例えば、ポリアセタール（Polyacetal）により形成される。
【００２２】
次に、本実施形態の替芯ケース１を構成するケース本体２０の具体的な形状について、図３〜図７を用いて説明する。
図３は、本発明の実施形態の替芯ケースを構成するケース本体の模式図である。また、図４は、本発明の実施形態のケース本体の側面図である。また、図５は、本発明の実施形態のケース本体の正面図である。また、図６は、本発明の実施形態のケース本体の底面図である。また、図７は、図３に示したケース本体のＡ-Ａ断面図である。
【００２３】
図示するように、ケース本体２０は、一端側（上端側）に開口部２１ａが形成され、下端側に底部２１ｅ（図７参照）を備えた収容部２０ｃ（図７参照）を有する有底の箱体であり、外形が八角形に形成されている本体部２０ａ（図４〜図６参照）と、本体部２０ａの端部（図４〜図５参照）に形成された矩形筒状の取出部２０ｂとにより形成されている。
【００２４】
また、図３および図４に示すように、取出部２０ｂの端部（図中において上端部）には、斜面状になされた斜面部２１ｂ１が形成されている。
具体的には、取出部２０ｂの左右両側の側壁２１ｂは、その高さ寸法が後面から前面に向かって（Ｘ１方向に向けて）徐々に小さくなされ斜面部２１ｂ１が形成されている。
また、取出部２０ｂは、収容部２０ｃに替芯を収容した場合に（替芯の一端（下端）を底部２１ｅに載置した場合に）、替芯の他端（上端）が斜面部２１ｂ１よりも上側に配置される高さ寸法に形成されている。
【００２５】
このように、取出部２０ｂの端部（図中において上端部）に斜面部２１ｂ１を形成することにより、替芯ケース１に替芯を収容した場合に、その替芯の上端側を斜面部２１ｂ１から露出させることができるため、ユーザが替芯を指で摘むことができる使い勝手のよい替芯ケース１を提供することができる。
【００２６】
また、斜面部２１ｂ１は、直線状に形成されていてもよいが、より好ましくは、図３および図４に示すように湾曲した形状になされていることが望ましい。このように、斜面部２１ｂ１が湾曲していることにより、替芯を指でより摘み易くなり、ユーザの使い勝手が向上する。
【００２７】
また、本実施形態では、ケース本体２０の開口部２１ａの面積が、ケース本体２０の内面の底部２１ｅの面積より大きくなされている（例えば、図７に示す開口部２１ａの長径「ｔ１」が底部２１ｅの長径「ｔ２」よりも長くなされている（ｔ１＞ｔ２））。
すなわち、本実施形態のケース本体２０の収容部２０ｃは、開口部２１ａから底部２１ｅに向かうにつれて（奥に進むにつれて）、縮径するようになされており、これにより、収容部２０ｃに収容された替芯の傾きを防止している。
その結果、本実施形態によれば、蓋体３０が装着された状態において、替芯が蓋体３０のスリット３０ｅに入ることが抑制される。
【００２８】
次に、本発明の実施形態の替芯ケース１を構成する蓋体３０の形状について、図８〜図１４を用いて説明する。
図８は、本発明の実施形態の替芯ケースを構成する蓋体の斜視図である。また、図９は、本発明の実施形態の蓋体の正面図である。また、図１０は、本発明の実施形態の蓋体の側面図である。また、図１１は、本発明の実施形態の蓋体の上面図である。また、図１２は、図８に示す蓋体のＢ-Ｂ断面図である。また、図１３は、図８に示す蓋体のＣ-Ｃ断面図である。また、図１４は、蓋体に形成されているスリットの位置を説明するための模式図であり、蓋体がケース本体に装着された状態の模式図を示している。
【００２９】
図示するように、蓋体３０は、天壁３０ａと、正面壁３０ｂ１および背面壁３０ｂ２と、左右の側壁３０ｃとを有するキャップ状に形成され、その一端部には、ケース本体２０の開口部２１ａの近傍の側壁２１ｂが挿入される開口部３０ｄ（図１２、１３参照）が形成されている。
また、図１４に示すように、天壁３０ａには、蓋体３０をケース本体２０に装着した状態において、ケース本体２０の開口部２１ａの近傍の側壁２１ｂの内面に対応する位置から、蓋体３０の側壁３０ｃに至る間において、替芯の直径Ｄより大きい長さ寸法Ｈ（Ｈ＞Ｄ）を有するスリット（天壁３０ａを貫通する貫通孔）３０ｅが形成されている。
【００３０】
また、図１１に示すように、スリット３０ｅは、蓋体３０の天壁３０ａの中心線Ｓに対し左右に対称に形成されている。また、スリット３０ｅは、蓋体３０の天壁３０ａにおいて、正面壁３０ｂ１から背面壁３０ｂ２に向かって連続した矩形状の貫通した孔として形成されている。
【００３１】
上記のように、天壁３０ａにスリット３０ｅを設けることにより、蓋体３０の内側から外側に空気を通す空気通路が形成されるため、誤飲による窒息に至る危険性が回避される。
また、ケース本体２０の開口部２１ａの近傍の側壁２１ｂの内面に対応する位置から、蓋体３０の側壁３０ｃに至る間にスリット３０ｅを形成することにより、ケ−ス本体２０の内部に収容した替芯が天壁３０ａに当たった場合に、替芯がスリット３０ｅに入る可能性が軽減される。
また、スリット３０ｅにより、替芯の直径以上の長さを有する空気通路を形成することができたるめ、幼児等が誤飲した場合にも十分な通気を確保することができる。
【００３２】
また、図１２および図１４に示すように、天壁３０ａの内側面のスリット３０ｅの開口縁近傍には、当該内側面から下方向に延びる柱状の遮蔽壁３０ｆが形成され、この遮蔽壁３０ｆが蓋体３０の内側面において、スリット３０ｅを部分的に遮っている。
具体的には、天壁３０ａの内側面のスリット３０ｅの開口縁近傍には、蓋体３０をケース本体２０に装着した状態において、ケース本体２０の開口部２１ａの近傍の側壁２１ｂの内面に対応する位置から蓋体３０の側壁３０ｃに向けて、少なくとも、替芯の直径Ｄの長さ寸法の位置まで延びるスリット３０ｅを塞ぐ遮蔽壁３０ｆが形成されている。
これにより、蓋体３０の内側（天壁３０ａの内側）からスリット３０ｅに通じる空気通路の長さ寸法（入り口幅）は、「ｈ＝Ｈ―Ｄ」になる（なお、入り口幅ｈは、Ｈより小さければ、替芯の直径Ｄより大きくてもかまわない）。
なお、遮蔽壁３０ｆは、天壁３０ａの内側面のスリット３０ｅの開口縁近傍から下方向（開口部３０ｄ方向）に延設され、その端部が側壁３０ｃに向かって屈折して延びるＬ字状になされている。
【００３３】
このように本実施形態では、天壁３０ａの内側面に設けた遮蔽壁３０ｆにより、蓋体３０の内側においてスリット３０ｅを遮っているため、ケース本体２０の取出部２０ｂの端部に斜面部２１ｂ１が形成されていても、収容部２０ｃに収容された替芯がスリット３０ｅに入ることを防止することができる。すなわち、本実施形態では、収容部２０ｃの替芯が斜めに傾いたとしても、遮蔽壁３０ｆにより、替芯がスリット３０ｅに入ることが防止される。
【００３４】
その結果、本実施形態によれば、ケ−ス本体２０に収容した替芯がスリット３０ｅを通っての替芯ケース１の外側に飛び出ることを防止することができる。
なお、本実施形態では、遮蔽壁３０ｆの具体的な形状について特に限定されるものではない。例えば、遮蔽壁３０ｆが、天壁３０ａの内側面のスリット３０ｅの開口縁近傍から下方向（開口部３０ｄ方向）に向けて、且つ側壁３０ｃ側に湾曲した円弧状に形成されていてもよい。
【００３５】
さらに、天壁３０ａの中心部には、凹部３０ａ１が形成され、凹部３０ａ１の底面には、樹脂成形の際に生じるゲート痕による突起（図示せず）が形成されている（図８、図１１、図１２〜図１４参照）。
このように、天壁３０ａに凹部３０ａ１を設け、その凹部３０ａにゲート痕による突起（図示せず）を形成することで、外観上、ゲート痕による突起（図示せず）を隠すことができ（外観において目立たない位置に配置することができ）、替芯ケース１の美観を向上させることができる。
【００３６】
以上説明したように、本実施形態によれば、誤飲による窒息に至る危険性が回避され、且つ蓋体が装着された状態において替芯が替芯ケース内から飛び出ることが防止されていると共に、替芯を指で摘み易い使い勝手のよい替芯ケース１を提供することができる。
【００３７】
なお、上述した実施形態では、天壁３０ａに、正面壁３０ｂ１から背面壁３０ｂ２まで延設されたスリット３０ｅを形成したが、十分な空気通路を確保できれば、両壁まで延設したスリット３０ｅを形成する必要はない。また、本実施形態では、ケース本体２０の開口部２１ａの側壁内面に対応する位置の、替芯の直径Ｄ以下の、内側の位置から、スリット３ｅを形成したが、十分な空気通路を確保できれば、その位置よりも蓋体の側壁側の位置からスリット３０ｅを形成しても良い。
【００３８】
また、上述した実施形態において示した替芯ケース１の外観形状はあくまでも一例である。例えば、ケース本体２０の外形が八角形ではく、他の形状に形成されていてもかまわない。
また、上述した替芯ケース１の蓋体３０が、以下に示す変形例（第１変形例および第２変形例）のように構成されていても、上述した実施形態と同様の効果を奏することができる。
以下、蓋体３０の変形例（第１変形例および第２変形例）を説明する。
【００３９】
先ず、上述した実施形態の蓋体の第１変形例について図１５〜図１８を用いて説明する。
図１５は、本発明の実施形態の第１変形例の蓋体の斜視図である。また、図１６は、本発明の実施形態の第１変形例の蓋体の上面図である。
また、図１７は、図１５に示した蓋体のＤ−Ｄ断面図である。また、図１８は、図１５に示した蓋体のＥ―Ｅ断面図である。
【００４０】
図示するように、本実施形態の第１変形例の蓋体４０は、上述した蓋体３０と同様、天壁４０ａと、正面壁４０ｂ１および背面壁４０ｂ２と、左右の側壁４０ｃとを有するキャップ状に形成され、その一端部には、ケース本体２０の開口部２１ａの近傍の側壁２１ｂが挿入される開口部４０ｄ（図１７、１８参照）が形成されている。
また、蓋体４０の側壁４０ｃの内面には、上述した蓋体３０と同様、凸部４０ｇ（図１７参照）が形成され、この凸部４０ｇがケース本体２０の側壁２１ｂに形成された係合部２１ｃに係合するようになされている。
【００４１】
また、天壁４０ａの中心部に、天壁４０ａを貫通する円形の貫通孔４０ａ１が形成されている。
また、天壁４０ａの内側面には、円形の貫通孔４０ａ１の開口縁に沿って、内側面から下方向に延設されている遮蔽壁４１が形成されている。
この遮蔽壁４１は、天壁４０ａの内側面において、円形の貫通孔４０ａ１の開口縁に沿って、内側面から下方向に延設される中空円筒状の側面部４１ａと、側面部４１ａの端部（図示する下端）に連なり、その端部（下端部）を塞ぐ底部４１ｂとを備えている。また、側面部４１ａには、側面部４１を貫通する複数の通気孔４１ａ１が形成されている。
【００４２】
上記の構成により、蓋体４０の内側から遮蔽壁４１の通気孔４１ａ１と、天壁４０ａの貫通孔４０ａ１とを通過して蓋体４０の外側に抜ける空気通路が形成される。これにより、蓋体４０の内側と、蓋体４０の外側とを連通する空気通路が形成されるため、蓋体４０を誤飲した場合の窒息に至る危険性が回避される。
【００４３】
また、蓋体４０の天壁４０ａの内面側には、天壁４０ａを貫通する貫通孔４０ａ１の開口縁に沿って、貫通孔４０ａ１を遮る遮蔽壁４１が形成されている。
そのため、ケース本体２０の取出部２０ｂの端部に斜面部２１ｂ１が形成されていても（収容部２０ｃの中で替芯が傾いたとしても）、遮蔽壁４１により替芯が替芯ケース内から飛び出ることを防止することができる。
【００４４】
次に、上述した実施形態の蓋体の第２変形例について図１９〜図２２を用いて説明する。
図１９は、本発明の実施形態の第２変形例の蓋体の斜視図である。また、図２０は、本発明の実施形態の第２変形例の上面図である。
また、図２１は、図１９に示した蓋体のＦ−Ｆ断面図である。また、図２２は、図１９に示した蓋体のＧ―Ｇ断面図である。
【００４５】
図示するように、第２変形例の蓋体５０は、天壁５０ａと、正面壁５０ｂ１および背面壁５０ｂ２と、左右の側壁５０ｃとを有するキャップ状に形成され、その一端部に開口部５０ｄ（図２１、図２２参照）が形成されている。
また、蓋体５０の側壁５０ｃの内面には、上述した蓋体３０と同様、凸部５０ｇ（図２１参照）が形成され、この凸部５０ｇがケース本体２０の側壁２１ｂに形成された係合部２１ｃにと係合するようになされている。
【００４６】
また、天壁５０ａには、天壁５０ａを貫通する矩形状（図示する例では、長方形状）の貫通孔５０ａ１が形成されている。
また、天壁５０ａの内側面には、矩形状の貫通孔５０ａ１の開口縁の近傍において、内側面から下方向に延設された貫通孔５０ａ１を覆う断面がコの字状になされた遮蔽壁５１が形成されている。
【００４７】
具体的には、遮蔽壁５１は、天壁５０ａの内側面において、矩形状の貫通孔５０ａ１の開口縁の相対向する２辺の近傍において（図示する例では、短辺の近傍において）、それぞれ、下方向に延設された一対の側面部５１ａと、一対の側面部５１ａの端部（下端）に掛け渡された、貫通孔５０ａ１と相対向する位置に配置された底部５１ｂとを有する。
そして、上記構成により、断面がコの字状の遮蔽壁５１の側面に、蓋体５０の下端の開口部５０ｄと、蓋体５０の上端の貫通孔５０ａ１とを連通させる連通部５１ａ２（図１９参照）が形成される。これにより、蓋体５０の内側と、蓋体５０の外側とを連通する空気通路が形成される。
このように、第２変形例においても、蓋体５０の内側から外側に空気を通す空気通路が確保されるため、誤飲による窒息に至る危険性が回避される。
【００４８】
また、蓋体５０の天壁５０ａの内面側には、天壁５０ａを貫通する貫通孔５０ａ１の開口縁に沿って、貫通孔５０ａ１を遮る遮蔽壁５１が形成されている。
そのため、ケース本体２０の取出部２０ｂの端部に斜面部２１ｂ１が形成されていても（収容部２０ｃの中で替芯が傾いたとしても）、遮蔽壁５１により替芯が替芯ケース内から飛び出ることを防止することができる。
【００４９】
このように、本実施形態の第１変形例および第２変形例においても、誤飲による窒息に至る危険性が回避され且つ蓋体が装着された状態において替芯が替芯ケース内から飛び出ることが防止されると共に、替芯を指で摘み易い使い勝手のよい替芯ケース１を提供することができる。
【符号の説明】
【００５０】
Ｌ        替芯
１        替芯ケース
２０      ケース本体
２０ａ    本体部（ケース本体）
２０ｂ    取出部（ケース本体）
２０ｃ    収容部（ケース本体）
２１ａ    開口部（ケース本体）
２１ｂ    側壁（ケース本体）
２１ｂ１  斜面部（ケース本体）
２１ｃ    係合部（ケース本体）
２１ｅ    底部（ケース本体）
３０      蓋体
３０ａ    天壁（蓋体３０）
３０ａ１  凹部３０ａ１（蓋体３０）
３０ｂ１  正面壁（蓋体３０）
３０ｂ２  背面壁（蓋体３０）
３０ｃ    側壁（蓋体３０）
３０ｄ    開口部（蓋体３０）
３０ｅ    スリット（蓋体３０）
３０ｇ    凸部（蓋体３０）
３０ｆ    遮蔽壁（蓋体３０）
４０      蓋体
４０ａ    天壁（蓋体４０）
４０ａ１  貫通孔（蓋体４０）
４０ｂ１  正面壁（蓋体４０）
４０ｂ２  背面壁（蓋体４０）
４０ｃ    側壁（蓋体４０）
４０ｄ    開口部（蓋体４０）
４０ｇ    凸部（蓋体４０）
４１      遮蔽壁（蓋体４０）
４１ａ    側面部（遮蔽壁４１（蓋体４０））
４１ａ１  通気孔（遮蔽壁４１（蓋体４０））
４１ｂ    底部（遮蔽壁４１（蓋体４０））
５０      蓋体
５０ａ    天壁（蓋体５０）
５０ａ１  貫通孔（蓋体５０）
５０ｂ１  正面壁（蓋体５０）
５０ｂ２  背面壁（蓋体５０）
５０ｃ    側壁（蓋体５０）
５０ｄ    開口部（蓋体５０）
５０ｇ    凸部（蓋体５０）
５１      遮蔽壁（蓋体５０）
５１ａ    側面部５１（遮蔽壁５１（蓋体５０））
５１ａ１  連通部５１ａ２（遮蔽壁５１（蓋体５０））
５１ｂ    底部（遮蔽壁５１（蓋体５０））
【図１】
2010173247.tif 000003
【図２】
2010173247.tif 000004
【図３】
2010173247.tif 000005
【図４】
2010173247.tif 000006
【図５】
2010173247.tif 000007
【図６】
2010173247.tif 000008
【図７】
2010173247.tif 000009
【図８】
2010173247.tif 000010
【図９】
2010173247.tif 000011
【図１０】
2010173247.tif 000012
【図１１】
2010173247.tif 000013
【図１２】
2010173247.tif 000014
【図１３】
2010173247.tif 000015
【図１４】
2010173247.tif 000016
【図１５】
2010173247.tif 000017
【図１６】
2010173247.tif 000018
【図１７】
2010173247.tif 000019
【図１８】
2010173247.tif 000020
【図１９】
2010173247.tif 000021
【図２０】
2010173247.tif 000022
【図２１】
2010173247.tif 000023
【図２２】
2010173247.tif 000024
【図２３】
2010173247.tif 000025
【図２４】
2010173247.tif 000026